(57)【要約】【課題】施工時の冷媒配管の接続自由度を向上させるともに、吸込口側の通風抵抗の抑制を図り、さらに電気箱やファンモータのメンテナンス性の向上を図ることを目的とする。【解決手段】熱交換器に接続される入口側と出口側の２つの冷媒配管は、それぞれ分岐管により、複数のファンの軸方向の両側に分岐されるとともに、一方の側から他方の側への冷媒配管は前記複数のファンと熱交換器との間に配置され、さらにファンモータは複数のファンのファンとファンとの間に配置されるとともに、電気部品を収納する電気箱はファンモータの熱交換器と反対側に配置され、空気調和機の運転前に分岐された２つの冷媒配管のうち、何れか一方に分岐された２つの冷媒配管のみが室外機からの冷媒配管と接続され、他方に分岐された２つの冷媒配管は冷媒流路が閉じられる。【選択図】図１
2014047970.tif 000002
【特許請求の範囲】
【請求項１】
吸込口から室内の空気を吸入する複数のファンと、
該複数のファンを駆動するファンモータと、
該ファンモータから吐出された空気を熱交換する熱交換器と、
該熱交換器により熱交換された空気を吐出する吹出口と、を備えた空気調和機において、
前記熱交換器に接続される入口側と出口側の２つの冷媒配管は、それぞれ分岐管により、前記複数のファンの軸方向の両側に分岐されるとともに、
前記一方の側から前記他方の側への冷媒配管は前記複数のファンと前記熱交換器との間に配置され、
さらに前記ファンモータは前記複数のファンのファンとファンとの間に配置されるとともに、電気部品を収納する電気箱は前記ファンモータの前記熱交換器と反対側に配置され、
前記空気調和機の運転前に前記分岐された２つの冷媒配管のうち、何れか一方に分岐された２つの冷媒配管のみが室外機からの冷媒配管と接続され、他方に分岐された２つの冷媒配管は冷媒流路が閉じられることを特徴とする空気調和機。
【請求項２】
請求項１に記載の空気調和機において、
前記熱交換器で発生したドレン水を回収するドレンパンと、
該ドレンパンのドレン水を外部に送るドレン接続配管と、を備え、
該ドレン接続配管は、分岐管により、前記複数のファンの軸方向の両側に分岐されるとともに、
前記一方の側から前記他方の側へのドレン接続配管は前記複数のファンと前記熱交換器との間に配置され、
前記空気調和機の運転前に前記分岐されたドレン接続配管のうち、何れか一方に分岐されたドレン接続配管のみにより、ドレン水が外部に送られ、他方に分岐されたドレン接続配管は流路が閉じられることを特徴とする空気調和機。
【請求項３】
請求項１又は２に記載の空気調和機において、
前記分岐管のそれぞれは、前記複数のファンの軸方向の一方の側に配置され、さらに前記分岐管には二方弁が取り付けられることにより、前記分岐管から分岐する方向が決められることを特徴とする空気調和機。
【請求項４】
請求項１又は２に記載の空気調和機において、
前記分岐された２つの冷媒配管は天井の近傍に配置され、かつ、前記吸込口と対応する位置に配置されることを特徴とする空気調和機。
【発明の詳細な説明】
【技術分野】
【０００１】
本発明は空気調和機の特に冷媒配管構造に関するものである。
【背景技術】
【０００２】
本発明の従来技術として特許文献１に記載のものがある。この特許文献１の段落００３４には、「ユニット本体３５は、このユニット本体３５の左右いずれの側面にも配管接続部６７を形成可能に構成されており、ユニット本体３５が配置される部屋の向きに応じて、その部屋の浴室１５に面した側に配管接続部６７が形成される。これによれば、配管の取出し方向を部屋Ａ，Ｂの向きに応じて変更すれば良いため、部屋Ａ，Ｂに配置されるユニット本体３５を共通ユニットとすることができ、ビルトイン型空気調和機３０の部品点数を少なくすることができる。」と記載されている。
【先行技術文献】
【特許文献】
【０００３】
【特許文献１】特許第４４２６２５７号公報
【発明の概要】
【発明が解決しようとする課題】
【０００４】
空気調和機においては、冷媒配管又はドレン接続配管の取出し口を筐体の片側のみに配置することがあるが、このような配置では、現地における施工の際の自由度を制限するという問題がある。ここで上記特許文献１においては、「ユニット本体３５の左右いずれの側面にも配管接続部６７を形成可能に構成」との記載があるものの、いかなる構成によってこのような構成を可能としているのか、について明らかではない。また、ファンモータや電気部品を収納する電気箱はメンテナンスの必要があるものだが、この点についても特許文献１には何ら開示されていない。
【０００５】
そこで本発明は、施工時の冷媒配管の接続自由度を向上させるともに、吸込口側の通風抵抗の抑制を図り、さらに電気箱やファンモータのメンテナンス性の向上を図ることを目的とする。
【課題を解決するための手段】
【０００６】
上記課題を解決するために、例えば特許請求の範囲に記載の構成を採用する。  
本願は上記課題を解決する手段を複数含んでいるが、その一例を挙げるならば、「吸込口から室内の空気を吸入する複数のファンと、該複数のファンを駆動するファンモータと、該ファンモータから吐出された空気を熱交換する熱交換器と、該熱交換器により熱交換された空気を吐出する吹出口と、を備えた空気調和機において、前記熱交換器に接続される入口側と出口側の２つの冷媒配管は、それぞれ分岐管により、前記複数のファンの軸方向の両側に分岐されるとともに、前記一方の側から前記他方の側への冷媒配管は前記複数のファンと前記熱交換器との間に配置され、さらに前記ファンモータは前記複数のファンのファンとファンとの間に配置されるとともに、電気部品を収納する電気箱は前記ファンモータの前記熱交換器と反対側に配置され、前記空気調和機の運転前に前記分岐された２つの冷媒配管のうち、何れか一方に分岐された２つの冷媒配管のみが室外機からの冷媒配管と接続され、他方に分岐された２つの冷媒配管は冷媒流路が閉じられること」を特徴とする。
【発明の効果】
【０００７】
本発明によれば、施工時の冷媒配管の接続自由度を向上させるともに、吸込口側の通風抵抗の抑制を図り、さらに電気箱やファンモータのメンテナンス性の向上を図ることが可能となる。  
上記した以外の課題、構成及び効果は、以下の実施形態の説明により明らかにされる。
【図面の簡単な説明】
【０００８】
【図１】実施例の空気調和機の内部構造図を示す。
【図２】図１のＡ−Ａ断面図を示す。
【図３】実施例における施工時を説明するための図である。
【発明を実施するための形態】
【０００９】
本発明の実施例を、以下に図面を用いて説明する。  
図１は本実施例の空気調和機の構造図を示す。また、図２は図１中のＡ−Ａ断面を示している。図２において空気調和機が運転されると、ファンモータ０４が駆動し、ファン０２が回転を始め筐体０１の下部に設けられた吸入口１４より空気を吸入する。前記吸入された空気はファン０２を通過し、ファン０２の軸方向から熱交換器０３に垂直な方向に向きを変え、熱交換器０３を通過する。なお、熱交換器０３は図１に示すように、複数のファン０２の軸方向と略並行に配置される。空気は熱交換器０３にて熱交換した後、筐体０１内に形成された流路を通過し、室内側の天井面に配置された化粧パネル１５の吹出口１３を通過し室内へと吹出される。熱交換器０３内の冷媒は冷媒配管１１を通り、分岐管０９により筐体０１の左右に取付けられた接続配管０７のどちらか一方向に流れる。
【００１０】
以上の通り本実施例の空気調和機は、吸込口１４から室内の空気を吸入する複数のファン０２と、該複数のファン０２を駆動するファンモータ０４と、該ファンモータ０４から吐出された空気を熱交換する熱交換器０３と、該熱交換器０３により熱交換された空気を吐出する吹出口１３と、を備えており、熱交換器０３に接続される入口側と出口側の２つの冷媒配管は、それぞれ分岐管０９により、複数のファン０２の軸方向の両側に分岐される。このように冷媒配管が分岐されることにより、何れの側においても室外機からの冷媒配管と接続が可能であるため、施工時の自由度を向上させることができる。
【００１１】
図３には空気調和機の施工時に必要となるサービススペース１６について説明する図である。本実施例の空気調和機は、このサービススペース１６が何れか一方に存在するように空気調和機の施工が可能である。つまり、一方の側からしか冷媒配管の接続ができなければ、冷媒配管の接続がある側（つまり、接続配管がある側)に壁１７が存在すれば、この壁１７から一定の距離を保たないと空気調和機を施工することができないという問題がある。これに対して本実施例によれば、配管接続を筐体０１の左右のどちら側でも可能であるため、壁１７とは反対側の接続配管０７を使用して接続を行えば空気調和機を壁１７側に寄せて配置することが出来るため、従って空気調和機の施工性の自由度を向上させることが出来るものである。
【００１２】
また、一方の側から他方の側への冷媒配管１８は複数のファン０２と熱交換器０３との間に配置される。つまり、一方の側から他方の側への冷媒配管１８を二次側の熱交換器０３の上流側に配置することで、吸込口１４の流路を狭めることが無いため、吸込流路の通風抵抗の増加や送風騒音の増加を最小限に抑えることが出来る。また、吸込口１４の開口面積を確保しているため、ファン０２の交換作業を妨げることは無い。なお、ファン０２の交換作業は、吸込口１４を開くことにより行われる。
【００１３】
さらにファンモータ０４は複数のファン０２のファン同士の間に配置されるとともに、電気部品を収納する電気箱０５はファンモータ０４の熱交換器０３と反対側に配置される。つまり、電気箱０５とファンモータ０４が図１中の右下に配置されると、分岐管０９が吸込口側に配置することができなくなる虞があり、また配置したとしても電気箱０５とファンモータ０４のメンテナンスが困難となる恐れがある。
【００１４】
この問題を解消するために本実施例においては、電気箱０５とファンモータ０４をファン０２同士の間に配置することで、分岐管０９に妨げられること無く電気箱０５とファンモータ０４のメンテナンスを行うことが出来るようにしたものである。なお、施工しやすい冷媒配管の接続方向が決まれば、空気調和機の運転前に分岐された２つの冷媒配管のうち、何れか一方に分岐された２つの冷媒配管のみが室外機からの冷媒配管と接続される。そして、他方に分岐された２つの冷媒配管は冷媒流路が閉じられるようにすることで冷媒が漏れないようにすることを要する。なお、分岐管０９に取付けられた二方弁１０は、左右どちらか一方の接続配管を使用する場合に、流れ方向を手動にて変更することが出来る。また二方弁１０は吸込口１４側に配置されており、空調機の施工時に吸込口から容易に流れ方向を変更することが出来る。
【００１５】
熱交換器０３は空気と熱交換することでドレン水が発生し、発生したドレン水はドレンポンプ０６に吸出されドレン接続配管０８を通り、筐体０１の外に排出される。ドレン接続配管０８に関しても分岐管０９により筐体０１の左右に分岐される。つまり、熱交換器０３で発生したドレン水を回収するドレンパンと、該ドレンパンのドレン水を外部に送るドレン接続配管０８と、を備え、ドレン接続配管０８は、分岐管０９により複数のファン０２の軸方向の両側に分岐されるとともに、一方の側から他方の側へのドレン接続配管１８は複数のファン０２と熱交換器０３との間に配置される。
【００１６】
これにより冷媒配管１８と同様に、二次側の熱交換器０３の上流側に配置することで、吸込口１４の流路を狭めることが無いため、吸込流路の通風抵抗の増加や送風騒音の増加を最小限に抑えることが出来る。また、吸込口１４の開口面積を確保しているため、ファン０２の交換作業を妨げることは無い。また、空気調和機の運転前に分岐されたドレン接続配管のうち、何れか一方に分岐されたドレン接続配管のみにより、ドレン水が外部に送られ、他方に分岐されたドレン接続配管は流路が閉じられる点も冷媒配管と同様である。
【００１７】
また、分岐管０９のそれぞれは、複数のファン０２の軸方向の一方の側に配置され、さらに分岐管０９には二方弁１０が取り付けられることにより、分岐管０９から分岐する方向が決められる。なお、分岐された２つの冷媒配管は天井１９の近傍に配置され、かつ、吸込口１４と対応する位置（重なる位置）に配置されることにより、施工時の接続を容易に行うことができる。
【符号の説明】
【００１８】
０１筐体
０２ファン
０３熱交換器
０４ファンモータ
０５電気箱
０６ドレンポンプ
０７接続配管
０８ドレン接続配管
０９分岐管
１０二方弁
１１冷媒配管
１２ドレン接続配管
１３吹出口
１４吸込口
１５化粧パネル
１６サービススペース
１７現地配管
１８配管
１９天井
【図１】
2014047970.tif 000003
【図２】
2014047970.tif 000004
【図３】
2014047970.tif 000005